(57)【要約】【課題】この発明は、リザーブタンクの内部に電池内の空気を排出する排気パイプを設けて、逃げ場を失って電池内に溜まっている空気を外部に逃がすことによって、電解液の注液が迅速に行うことが出来るようにし、さらに最初からリザーブタンクを電池の排気部に取り付けたままで最初の電解液の注入から次の電槽化成までができるようにし、注液工程と化成工程の工数を大幅に削減することができるようにしたものである。【解決手段】制御弁式鉛電池８の排気筒１５から鉛蓄電池８内に電解液を供給するためのリザーブタンク１であって、リザーブタンク１の上部には電解液の上部開口部２が形成され、またその下部には制御弁式の鉛蓄電池８の蓋の開口部１１に設けられている排気筒１５に嵌合する注出管９が固着され、さらにリザーブタンク１内には上下方向に排気パイプ９が収納されて、該排気パイプ９の上端開口部がリザーブタンク１上部で外側に突出し、またその下端開口部がリザーブタンク１下部の注出管１４の先端付近に位置するようにしたリザーブタンクである。【選択図】　　　　　　図１
2004127714.tif 000002
【特許請求の範囲】
【請求項１】
制御弁式鉛蓄電池の排気筒から電槽内に電解液を供給するためのリザーブタンクであって、リザーブタンクの上部には上部開口部が形成され、またその下部には鉛蓄電池の電槽蓋の開口部に設けられている排気筒に嵌合する注出管が固着され、さらにリザーブタンク内には上下方向に排気パイプが収納されて、該排気パイプの上端開口部がリザーブタンク上部で外側に突出し、またその下端開口部がリザーブタンク下部の注出管の先端付近に位置するようにしたことを特徴とするリザーブタンク。
【請求項２】
請求項１記載のリザーブタンク下部の注出管を、制御弁式鉛蓄電池の電槽蓋の排気筒に嵌合して固定し、その後リザーブタンク上部の上部開口部に、中間に脱気用の分岐管を備えた電解液の注液装置の注入管を連結し、この注入管を通して電解液を注入することによって制御弁式鉛蓄電池の電槽内に電解液を注入したのち、脱気用の分岐管から吸気を複数回繰り返すことによって電槽内に電解液を充填し、続いて制御弁式鉛蓄電池を電槽化成し電池内で発生したガスを排気パイプを通して外部に放出するとともに、電槽化成で減少した電解液をリザーブタンクから電池内に供給し、電槽化成が終了した段階でリザーブタンクを制御式鉛蓄電池から取外すことを特徴とする制御弁式鉛蓄電池の製造方法。
【発明の詳細な説明】
【０００１】
【発明の属する技術分野】
この発明は、蓄電池の内圧が所定値を超えた場合に開放して内圧を低下させることのできる弁体を備え、制御弁式鉛蓄電池の電槽内に電解液を充填する際に用いるリザーブタンクおよびこれを用いた制御弁式鉛蓄電池の製造方法に関する。
【０００２】
【従来の技術】
従来、制御弁式鉛蓄電池は電槽内に収納された極板群に含浸し得る程度の電解液を用いて使用されるが、電槽化成では化成中に電解液が電気分解してＯ２、Ｈ２ガスが発生して電解液が減少するので、所定の電解液の減少分を上乗せして電池内に注液し、これを電槽化成して制御弁式鉛蓄電池を仕上げていた。しかしながら、最近では制御弁式鉛蓄電池の小型化によって電池内には余分な電解液を入れるスペースがなくなり、所定の液量以上の電解液を電槽内に注入して化成することができなくなってきた。そのために、最近では、電解液を注入した電池の蓋の排気部に、別に電解液を入れたリザーブタンクを取付け、これによって小型化で電池内に余分に注液することが不可能となった分の電解液を、このリザーブタンクから供給するようにして電槽化成を行うようになってきた（特開平１−２９４３６１号）。
【０００３】
しかしながら、こうした電解液の入ったリザーブタンクから電池内に電解液を注入しようとすると、電池内に空気が閉じ込められて注液がスムースにいかず、注液に長い時間を必要とするものであった。また、これまではリザーブタンクを取り付ける前に、電池内にあらかじめ所定量の電解液を注入し、その後リザーブタンクを電池の蓋の排気部に取付け、このリザーブタンクに電解液を加えてこれによって化成によって減少する分の電解液だけを電池内に供給するようにして化成を行っていた。そのために、従来は電池への電解液の供給が２段階に行なわれて、化成工程が増えコストの増加になっていた。
【０００４】
【発明が解決しようとする課題】
この発明は、リザーブタンクの内部に電池内の空気を排出する排気パイプを設けて逃げ場を失って電池内に溜まっている空気を外部に逃がすことによって、電解液の注液が迅速に行うことが出来るようにし、さらに最初からリザーブタンクを電池の排気部に取り付けたままで最初の電解液の注入から次の電槽化成までができるようにし、注液工程と化成工程の工数を大幅に削減することができるようにしたものである。
【０００５】
【課題を解決するための手段】
この発明は、制御弁式鉛蓄電池内に電解液を供給するためのリザーブタンクであって、このリザーブタンクの上部には上部開口部を有し、またリザーブタンクの下部には電解槽の蓋の排気筒と嵌合するような注出管を設けたもので、さらにリザーブタンク内には上下方向に排気パイプを配置して、その上端をリザーブタンク上部の外側に配置し、また下端はリザーブタンク下の電解液の注出管の先端部付近に位置するようにしたものである。また、請求項２の発明は、このリザーブタンクを用いて電池に電解液を注入するに際し、上部開口部と脱気用の分岐管を備えた注液装置の注入管を連接して注入するとともに、このリザーブタンクを電池に接続したままで電槽化成を行うようにした制御弁式鉛電池の化成方法である。
【０００６】
【発明の実施の形態】
図１は、この発明のリザーブタンクの一部断面を示す側面図である。図１において、１は例えばポリプロピレンなどの耐酸性のあるリザーブタンク本体である。リザーブタンク本体１は、その上部に電解液の上部開口部２があって、これにキャップ３がＯリング４を介して嵌められている。キャップ３の中央部には、その先端がリザーブタンク１の内側上部に開口されている電解液の注入管５が嵌装連接されていて、図示しない電解液のタンクからこの注入管５を通して、リザーブタンク１の中に電解液６を注入するようになっている。注入管５は、キャップ３の外側で分岐して分岐管７を設けている。この分岐管７は、リザーブタンク１を用いて制御弁式の鉛蓄電池８内に電解液を注入する際に、ここから脱気する際に使用する。さらに、キャップ３には、リザーブタンク１中央を上下に貫通している排気パイプ９の上端部が上部開口部２内に貫通して突き出ている。
【０００７】
リザーブタンク１の下部には注出口１２を有し、この注出口１２は電槽蓋１０の開口部１１と螺合して両者を接続するようになっている。リザーブタンク１下部に設けられている注出口１２には、ゴムパッキン１３が嵌められていて、その中央部には先端が突き出ている注液管１４が嵌装されている。注液管１４は、鉛蓄電池８の排気筒１５に挿入するようになっている。なお、図３は、脱気用分岐管に変えて、排気用パイプ９を上部開口部２の外側に貫通して突き出し、その先端に脱気用管７Ａを接続したものである。
【０００８】
上記リザーブタンクを用いて電池内に電解液を注入し、次いで電槽化成までを完成させる方法は次の手順による。まず、リザーブタンク１下部の注液管１４と排気パイプ９の各下部を電槽蓋１０の排気筒１５に挿入するとともに、リザーブタンク１の注出口１２を電槽蓋１０の開口部１１に螺合して、図２に示すようにリザーブタンク１と鉛蓄電池８を結合する。この状態で、図示しない電解液の貯留タンクと接続されている注入管５を通してリザーブタンク１に電解液６を注入する。注入される電解液量は予め算出された極板群に含浸される量に化成により減少する量を加えた量を注入する。リザーブタンク１に注入された電解液６は、リザーブタンク１を通過して下部の注液管１４から鉛蓄電池８の中に注入される。しかしながら、電池内には空気が存在しているから中に空気が閉じ込められ残存した状態となる。そこで、電池内に所定量の電解液が注入された段階で注入管５の分岐管７から吸引して脱気を行う。これによって、電池内にさらに電解液が充填されるようになる。こうした脱気を複数回くりかえすことによって、電池内は残存気泡がなく所定量の電解液が充填されるようになる。なお、脱気に際しては脱気空気の中に酸霧が含まれているので、排気に際しては分岐管７に図示しないミストキャッチャーを取り付けて酸を除去することが必要である。
【０００９】
次いで、この状態で電槽化成を行うが、電槽化成によって電解液が電気分解して電池内にはＯ２ガス、Ｈ２ガスが発生する。電池内で発生したガスは、リザーブタンク内に設けた排気パイプ９を通ってリザーブタンク１の中を上昇しスムースに外部に放散される。そしてこの場合に、電池内は電解液が減少して不足するが、不足した電解液はその上方に位置しているリザーブタンク１から迅速に補充されて、電池内には発生ガスと置換して電解液が迅速に補充されるようになる。なお、電槽化成に際しても排気パイプから排出されるガスの中に酸霧が含まれているので、これを回収するために排気パイプ９に図示しないミストキャッチャーを取り付けて酸を除去することが必要である。電槽化成が終了した電池はリザーブタンクを抜き取り、次の新しい電池にリザーブタンクを接続して同様に、電解液を注入し次いで電槽化成を行う。
【００１０】
【発明の効果】
以上のように、この発明によれば、リザーブタンクの内部に排気パイプを設けることによって、電気分解によって生じ逃げ場を失って電池内に溜まっているガスを外部に容易に逃がすようにしたので、電槽化成の電気分解によって不足した電解液の注液を迅速に行うことができるようになった。さらに、この発明によると、電池内への注液と化成工程をリザーブタンクを通して、連続して行うことができるので作業性が大幅に向上するようになった。
【図面の簡単な説明】
【図１】この発明のリザーブタンクの一部断面を示す側面図。
【図２】この発明のリザーブタンクを用いて電池に注液している状態の一部断面を示す部分側面図。
【図３】この発明の他の実施例のリザーブタンクの一部断面を示す側面図。
【符号の説明】
１…リザーブタンク本体、２…上部開口部、３キャップ、５…注液管、７…分岐管、７Ａ…脱気用管、８…鉛蓄電池、９…排気パイプ、１０…電槽蓋、１１…開口部、１２…注出口、１３…ゴムパッキン、１４…注液パイプ、１５排気筒。
【図１】
2004127714.tif 000003
【図２】
2004127714.tif 000004
【図３】
2004127714.tif 000005